(57)【特許請求の範囲】
【請求項１】
天地方向において互いに反対側に位置する底辺および天辺と幅方向において互いに反対側に位置する第１側辺および第２側辺とを各々が有するとともに前後方向において対面する一対の外装フィルムと、
前記第１側辺に沿って前記一対の外装フィルムが互いに接合された第１側辺シール部と、
前記第２側辺に沿って前記一対の外装フィルムが互いに接合された第２側辺シール部と、
内容物を注出するためのスパウトと、
前記一対の外装フィルムの間に配置され、前記前後方向において対面する一対の内袋フィルムと、
を備えるパウチ容器用包材であって、
前記スパウトは、前記幅方向において前記第１側辺側に配置されており、
前記スパウトより前記天地方向底側において、前記一対の内袋フィルムは、その前記幅方向一端が前記第１側辺シール部に繋がっており、
前記一対の内袋フィルムは、
前記幅方向他端側において前記一対の内袋フィルムの一部ずつが互いに接合された、前記幅方向と交差する方向に延びる内第２側方シール部と、
前記天地方向底側端縁同士が、前記第１側辺シール部から前記内第２側方シール部にわたって連結された内底側連結部と、を備え、
前記一対の内袋フィルムの前記天地方向天側端縁が、それぞれ対向する前記一対の外装フィルムと、前記第１側辺シール部と前記内第２側方シール部との間において接合された一対の内天側シール部と、を備えることを特徴とする、パウチ容器用包材。
【請求項２】
前記一対の内袋フィルムの前記幅方向他端は、前記第２側辺シール部に繋がっている、請求項１に記載のパウチ容器用包材。
【請求項３】
前記一対の内袋フィルムは、前記内第２側方シール部と前記第２側辺シール部との間において挿通部を有する、請求項２に記載のパウチ容器用包材。
【請求項４】
前記内天側シール部の前記幅方向他端は、前記内第２側方シール部の前記天地方向天側端よりも前記幅方向一端側に位置している、請求項１ないし３のいずれかに記載のパウチ容器用包材。
【請求項５】
前記内第２側方シール部の前記天地方向天側端は、前記内袋フィルムの前記天地方向天側端から底側に離間している、請求項１ないし４のいずれかに記載のパウチ容器用包材。
【請求項６】
前記第１側辺シール部は、前記一対の内袋フィルムが固定された内袋固定領域を有し
前記内袋固定領域における前記第１側辺シール部の内縁は、前記天地方向において天側へと向かうほど、そのシール幅が狭くなるように傾斜している、請求項１ないし５のいずれかに記載のパウチ容器用包材。
【請求項７】
前記一対の内袋フィルムが、それぞれ対向する前記一対の外装フィルムとの一部と、前記内第２側方シール部と前記第２側辺シール部との間において接合された延長シール部を更に備える、請求項２ないし６のいずれかに記載のパウチ容器用包材。
【請求項８】
前記内底側連結部は、折り返し部からなる、請求項１ないし７のいずれかに記載のパウチ容器用包材。
【請求項９】
請求項１ないし８のいずれかに記載の包材と、
前記一対の外装フィルムの間に収容された内容物と、
を備えることを特徴とする、パウチ容器。
【発明の詳細な説明】
【技術分野】
【０００１】
本発明は、パウチ容器用包材およびパウチ容器に関する。
【背景技術】
【０００２】
パウチ容器は、液体や粉体等の内容物を収容する容器として広く用いられている。このようなパウチ容器には、内容物を所定量ずつ部分的に使用することが想定されたものがある。図２０は、特許文献１に開示された従来のパウチ容器の一例を示している。同図に示されたパウチ容器Ｘは、外装フィルム９１およびスパウト９７を備えており、内部の収容空間に内容物９９が充填されている。
【０００３】
外装フィルム９１は、樹脂からなるフィルムである。外装フィルム９１は、底部９５において折り返されている。折り返された外装フィルム９１の周辺部分同士が接合されることにより、天辺シール部９２、第１側辺シール部９３、第２側辺シール部９４および内シール部９６が形成されている。天辺シール部９２、第１側辺シール部９３および第２側辺シール部９４によって、外装フィルム９１の内部が密閉されている。内シール部９６は、第１側辺シール部９３から図中右方に延びる部分と当該部分の右端から図中上方に延びる部分とからなる鈎状のシール部である。第１側辺シール部９３と内シール部９６とによって、外装フィルム９１には、袋状の部分が形成されている。この袋状の部分の上方には、内容物９９を注出するためのスパウト９７が設けられている。また、前記袋状の部分には、計量袋９８が内蔵されている。
【０００４】
パウチ容器Ｘから内容物９９を注出する際には、スパウト９７を閉じたままパウチ容器Ｘ全体を一旦倒立状態とした後に正立させる。これにより、計量袋９８に所定量の内容物９９が収容される。これに続いて、スパウト９７を開けた状態で、計量袋９８に収容された内容物９９のみをスパウト９７から外部へと注出する。これにより、パウチ容器Ｘから所定量の内容物９９を注出することができる。
【０００５】
しかしながら、内シール部９６においては、外装フィルム９１のうち前後方向に位置する部分同士が接合されている。このため、外装フィルム９１は、前後方向において対面する部分を有するものの、この対面する部分同士が前後方向に離間することが内シール部９６によって強固に拘束される。特に、計量袋９８は、第１側辺シール部９３と内シール部９６とによって囲まれているため、計量袋９８を拡開することが阻害されてしまう。したがって、所定量の内容物９９を計量袋９８に収容することが困難であり、所定量の内容物９９を注出することをスムーズに行えないという問題があった。また、計量袋９８の拡開が充分でないと、計量袋９８に内容物９９を収容できたとしても、その収容量が想定された所定量に達しないことが懸念される。また、外装フィルム９１が内シール部９６によって接合されているため、外装フィルム９１を十分に膨らませることが困難であり、内容物９９の収容量が減少してしまう。
【先行技術文献】
【特許文献】
【０００６】
【特許文献１】特許第４６９８１３１号公報
【発明の概要】
【発明が解決しようとする課題】
【０００７】
本発明は、上記した事情のもとで考え出されたものであって、所定量の内容物をよりスムーズ且つ正確に注出することが可能なパウチ容器用包材およびパウチ容器を提供することをその課題とする。
【課題を解決するための手段】
【０００８】
本発明の第１の側面によって提供されるパウチ容器用包材は、天地方向において互いに反対側に位置する底辺および天辺と幅方向において互いに反対側に位置する第１側辺および第２側辺とを各々が有するとともに前後方向において対面する一対の外装フィルムと、前記第１側辺に沿って前記一対の外装フィルムが互いに接合された第１側辺シール部と、前記第２側辺に沿って前記一対の外装フィルムが互いに接合された第２側辺シール部と、内容物を注出するためのスパウトと、前記一対の外装フィルムの間に配置され、前記前後方向において対面する一対の内袋フィルムと、を備えるパウチ容器用包材であって、前記スパウトは、前記幅方向において前記第１側辺側に配置されており、前記スパウトより前記天地方向底側において、前記一対の内袋フィルムは、その前記幅方向一端が前記第１側辺シール部に繋がっており、前記一対の内袋フィルムは、前記幅方向他端側において前記一対の内袋フィルムの一部ずつが互いに接合された、前記幅方向と交差する方向に延びる内第２側方シール部と、前記天地方向底側端縁同士が、前記第１側辺シール部から前記内第２側方シール部にわたって連結された内底側連結部と、を備え、前記一対の内袋フィルムの前記天地方向天側端縁が、それぞれ対向する前記一対の外装フィルムと、前記第１側辺シール部と前記内第２側方シール部との間において接合された一対の内天側シール部と、を備えることを特徴としている。
【０００９】
本発明の好ましい実施の形態においては、前記一対の内袋フィルムの前記幅方向他端は、前記第２側辺シール部に繋がっている。
【００１０】
本発明の好ましい実施の形態においては、前記一対の内袋フィルムは、前記内第２側方シール部と前記第２側辺シール部との間において挿通部を有する。
【００１１】
本発明の好ましい実施の形態においては、前記内天側シール部の前記幅方向他端は、前記内第２側方シール部の前記天地方向天側端よりも前記幅方向一端側に位置している。
【００１２】
本発明の好ましい実施の形態においては、前記内第２側方シール部の前記天地方向天側端は、前記内袋フィルムの前記天地方向天側端から底側に離間している。
【００１３】
本発明の好ましい実施の形態においては、前記第１側辺シール部は、前記一対の内袋フィルムが固定された内袋固定領域を有し前記内袋固定領域における前記第１側辺シール部の内縁は、前記天地方向において天側へと向かうほど、そのシール幅が狭くなるように傾斜している。
【００１４】
本発明の好ましい実施の形態においては、前記一対の内袋フィルムが、それぞれ対向する前記一対の外装フィルムとの一部と、前記内第２側方シール部と前記第２側辺シール部との間において接合された延長シール部を更に備える。
【００１５】
本発明の好ましい実施の形態においては、前記内底側連結部は、折り返し部からなる。
【００１６】
本発明の第２の側面によって提供されるパウチ容器は、本発明の第１の側面によって提供されるパウチ容器包材と、前記一対の外装フィルムの間に収容された内容物と、を備えることを特徴としている。
【発明の効果】
【００１７】
本実施形態によれば、前記内底側連結部および前記内第２側方シール部が設けられていることにより、一対の前記内袋フィルムに袋部が備えられているものの、前記一対の外装フィルムのうち前記袋部を挟む部分は、前記第１側辺シール部を除いて互いに接合されていない。このため、前記内容物の計量を目的として前記袋部に前記内容物の一部を収容する際には、前記一対の外装フィルムのうち前記袋部を挟む部分を、互いに拘束することなくスムーズに拡開することが可能である。そして、前記一対の外装フィルムの拡開によって、前記一対の内天側シール部を介して前記袋部が拡開される。これにより、前記袋部の前記開口部を適切に開口させた状態で、前記内容物をスムーズに収容させることができる。しかも、前記袋部を十分に拡開することにより、所定量の前記内容物をより正確に袋部に収容することが可能である。したがって、所定量の前記内容物をよりスムーズ且つ正確に注出することができる。さらに、前記袋部の前記天地方向底側部分および前記幅方向における前記第２側辺側部分が前記一対の外装フィルムに接合されていないことにより、前記一対の外装フィルムの拡開が前記袋部によって拘束されることを抑制することができる。これにより、前記一対の外装フィルムをより大きく膨らませることが可能であり、前記収容空間に十分な量の前記内容物を収容することができる。
【００１８】
本発明のその他の特徴および利点は、添付図面を参照して以下に行う詳細な説明によって、より明らかとなろう。
【図面の簡単な説明】
【００１９】
【図１】本発明の第１実施形態に基づくパウチ容器用包材を示す正面図である。
【図２】図１のＩＩ−ＩＩ線に沿う断面図である。
【図３】図１のＩＩＩ−ＩＩＩ線に沿う断面図である。
【図４】図１のパウチ容器用包材の内袋フィルムを示す斜視図である。
【図５】図１のパウチ容器用包材の製造方法の一例を示す概略正面図である。
【図６】図１のパウチ容器用包材に内容物を充填する工程を示す要部正面図である。
【図７】図６のＶＩＩ−ＶＩＩ線に沿う要部断面図である。
【図８】本発明の第１実施形態に基づくパウチ容器を示す正面図である。
【図９】図８のＩＸ−ＩＸ線に沿う断面図である。
【図１０】図８のＸ−Ｘ線に沿う断面図である。
【図１１】図８のパウチ容器の計量状態を示す正面図である。
【図１２】図８のパウチ容器からの内容物の注出を示す正面図である。
【図１３】図１のパウチ容器用包材の内袋フィルムの変形例を示す斜視図である。
【図１４】本発明の第１実施形態に基づくパウチ容器用包材の変形例を示す正面図である。
【図１５】本発明の第１実施形態に基づくパウチ容器用包材およびパウチ容器の他の変形例を示す要部正面図である。
【図１６】本発明の第１実施形態に基づくパウチ容器用包材およびパウチ容器の他の変形例を示す要部正面図である。
【図１７】本発明の第２実施形態に基づくパウチ容器用包材およびパウチ容器を示す要部正面図である。
【図１８】本発明の第２実施形態に基づくパウチ容器用包材およびパウチ容器の変形例を示す要部正面図である。
【図１９】本発明の第３実施形態に基づくパウチ容器用包材およびパウチ容器を示す要部正面図である。
【図２０】従来のパウチ容器の一例を示す正面図である。
【発明を実施するための形態】
【００２０】
以下、本発明の好ましい実施の形態につき、図面を参照して具体的に説明する。
【００２１】
図１〜図３は、本発明の第１実施形態に基づくパウチ容器用包材を示している。本実施形態のパウチ容器用包材Ａ１は、一対の外装フィルム１、底ガセットフィルム２、一対の内袋フィルム３およびスパウト７を備えている。
【００２２】
図１は、パウチ容器用包材Ａ１を示す正面図である。図２は、図１のＩＩ−ＩＩ線に沿う断面図であり、図３は、図１のＩＩＩ−ＩＩＩ線に沿う断面図である。これらの図においては、理解の便宜上、後述するヒートシール等によってフィルム同士が接合されたシール部に複数の離散点からなるハッチングを付しており、以降の図においても同様である。また、図中のｘ方向は、本発明における一対の外装フィルムの幅方向であり、ｙ方向は、本発明における前後方向であり、ｚ方向は、本発明における天地方向である。また、本発明においては、天地方向における一方を天側、他方を底側と、便宜上呼称し、幅方向において一方側および他方側の呼称を適宜用いる。
【００２３】
一対の外装フィルム１は、ｙ方向において互いに対面している。外装フィルム１は、天辺１１、底辺１２、第１側辺１３、第２側辺１４および斜辺１５を有している。底辺１２は、本実施形態においては、ｘ方向に直線状に延びており、パウチ容器用包材Ａ１を用いて製造されたパウチ容器が店頭等において陳列される際に陳列棚等に接することが意図された辺である。天辺１１は、ｚ方向において底辺１２とは反対側に位置しており、本実施形態においては、ｘ方向に直線状に延びている。第１側辺１３は、ｘ方向左方に位置しており、本実施形態においては天辺１１および底辺１２に対して垂直である。第２側辺１４は、ｘ方向において第１側辺１３とは反対側に位置しており、本実施形態においては天辺１１および底辺１２に対して垂直である。斜辺１５は、天辺１１の左端と第１側辺１３の天側端とを繋いでおり、ｘ方向およびｚ方向のいずれに対しても傾斜している。
【００２４】
底ガセットフィルム２は、折り目２１において底辺１２と平行に折り畳まれた状態で一対の外装フィルム１の間に位置している。底ガセットフィルム２のｚ方向底側端は、本実施形態においては、外装フィルム１の底辺１２と各々が一致している。また、底ガセットフィルム２には、切欠き２２が形成されている。切欠き２２は、底ガセットフィルム２の一部が切り欠かれた部位であり、厚さ方向に貫通している。
【００２５】
一対の外装フィルム１および底ガセットフィルム２は、通常、樹脂フィルムから構成される。該樹脂フィルムには、耐衝撃性、耐磨耗性、及び耐熱性等、包装体としての基本的な性能を備えることが要求される。また、上記各シール部は、通常、ヒートシールにより形成されるので、シートにはヒートシール性も要求される。シートとしては、ベースフィルム層と、ヒートシール性を付与するシーラント層とを有する複層シートが好適であり、高いガスバリア性や遮光性が要求される場合には、ベースフィルム層とシーラント層との間にバリア層を設けることが好適である。なお、ベースフィルム層そのものにバリア性を付与してもよい。この場合は、バリア層をベースフィルム層として用い、バリア層とシーラント層とを有する複層シートとなる。
【００２６】
ここで、ベースフィルム層、シーラント層、及びガスバリア層の構成材料を例示する。なお、これら各層の積層は、慣用のラミネート法、例えば、共押出しラミネーション、接着剤によるドライラミネーション、熱接着性層を挟んで熱により接着させる熱ラミネーション等により行うことができる。
【００２７】
ベースフィルム層を構成するフィルムとしては、ポリエステル（ポリエチレンテレフタレート（ＰＥＴ）、ポリエチレンナフタレ−ト（ＰＥＮ）、ポリブチレンテレフタレート（ＰＢＴ）、ポリカーボネート（ＰＣ）等）、ポリオレフィン（ポリエチレン（ＰＥ）、ポリプロピレン（ＰＰ）等）、ポリアミド（ナイロン−６、ナイロン−６６等）、ポリアクリロニトリル（ＰＡＮ）、ポリイミド（ＰＩ）、ポリ塩化ビニル（ＰＶＣ）、ポリ塩化ビニリデン（ＰＶＤＣ）、ポリメチルメタクリレート（ＰＭＭＡ）、ポリエーテルスルフォン（ＰＥＳ）等から構成される一層または二層以上の延伸または未延伸フィルムが例示できる。
【００２８】
シーラント層を構成するフィルムとしては、低密度ポリエチレン（ＬＤＰＥ）、直鎖状低密度ポリエチレン（ＬＬＤＰＥ）、エチレン−プロピレン共重合体（ＥＰ）、未延伸ポリプロピレン（ＣＰＰ）、二軸延伸ナイロン（ＯＮ）、エチレン−オレフィン共重合体、エチレン−アクリル酸共重合体（ＥＡＡ）、エチレン−メタクリル酸共重合体（ＥＭＡＡ）及びエチレン−酢酸ビニル共重合体（ＥＶＡ）等から構成される一層または二層以上の延伸または未延伸フィルムが例示できる。
【００２９】
ガスバリア層としては、アルミニウム等の金属薄膜、又は塩化ビニリデン（ＰＶＤＣ）、エチレン−ビニルアルコール共重合体（ＥＶＯＨ）等の樹脂フィルム、或いは任意の合成樹脂フィルム（例えば、ベースフィルム層であってもよい）に、アルミニウム、酸化アルミニウムやシリカ等の無機酸化物等を蒸着（又はスパッタリング）したフィルムが例示できる。
【００３０】
一対の外装フィルム１または底ガセットフィルム２には、内容物の商品名や原材料・使用上の注意事項等の商品説明、その他各種デザイン等を表示するための印刷層（図示せず）を設けることができる。例えば、印刷層は、グラビア印刷等の公知の方法により、ベースフィルム層の内側の面に形成できる。
【００３１】
パウチ容器用包材Ａ１は、底辺シール部４２、第１側辺シール部４３、第２側辺シール部４４および斜辺シール部４５を有している。底辺シール部４２は、一対の外装フィルム１と底ガセットフィルム２とが底辺１２に沿ってヒートシールによって接合された部分である。なお、本実施形態においては、底辺シール部４２は、底辺１２に沿う主要部分と、この主要部分の両端において第１側辺１３および第２側辺１４に沿うように天側へと延びる部分とを有している。また、底ガセットフィルム２に切欠き２２が形成されていることにより、切欠き２２においては、一対の外装フィルム１同士が部分的に接合されている。この部位は、内容物を充填した後などにおいて底ガセットフィルム２のｘ方向両端が開いてしまうことを防止する機能を果たす。
【００３２】
第１側辺シール部４３は、一対の外装フィルム１同士が第１側辺１３に沿ってヒートシールによって接合された部分である。第１側辺シール部４３は、内袋固定領域４３１および底側領域４３２を有する。内袋固定領域４３１は、一対の内袋フィルム３の後述する袋部３１が固定された領域である。底側領域４３２は、底側領域４３２のｚ方向底側に隣接する領域であり、底辺シール部４２に繋がっている。
【００３３】
本実施形態においては、第１側辺シール部４３の内袋固定領域４３１のｘ方向における第２側辺１４側端縁は、ｚ方向において天側へと向かうほどｘ方向において第１側辺１３に近接するように、すなわち第１側方シール部４３のシール幅が狭くなるように、傾斜している。また、第１側辺シール部４３の底側領域４３２のｘ方向における第２側辺１４側端縁は、ｚ方向において底側へと向かうほどｘ方向において第１側辺１３に近接するように、すなわち第１側方シール部４３のシール幅が狭くなるように、傾斜している。
【００３４】
第２側辺シール部４４は、一対の外装フィルム１同士が第２側辺１４に沿ってヒートシールによって接合された部分である。本実施形態においては、第２側辺シール部４４は、ｚ方向に沿った直線帯状である。
【００３５】
斜辺シール部４５は、一対の外装フィルム１同士が斜辺１５に沿ってヒートシールによって接合された部分である。斜辺シール部４５は、第１側辺シール部４３の内袋固定領域４３１に繋がっており、ｘ方向およびｚ方向のいずれに対しても傾斜している。
【００３６】
一対の外装フィルム１に挟まれ、且つ底辺シール部４２、第１側辺シール部４３、第２側辺シール部４４および斜辺シール部４５に囲まれた空間が、収容空間５とされている。収容空間５は、パウチ容器用包材Ａ１を用いて製造されたパウチ容器において、内容物を収容するための空間である。
【００３７】
図４は、拡開された状態の一対の内袋フィルム３を示す斜視図である。図１〜図４に示すように、一対の内袋フィルム３は、ｙ方向において一対の外装フィルム１の間に位置しており、互いに対面している。本実施形態においては、一対の内袋フィルム３は、袋部３１および一対の延長部３２を有している。内袋フィルム３の材料および構成は、上述した外装フィルム１と類似する。ただし、本実施形態においては、後述するパウチ容器用包材Ａ１の製造の便宜のため、内袋フィルム３の両面にシーラント層が設けられたフィルム材料が用いられている。
【００３８】
本実施形態においては、一対の内袋フィルム３のｘ方向における第１側辺１３側（一端側）部分が、一対の外装フィルム１に挟まれた状態でヒートシールされることにより、第１側辺シール部４３の内袋固定領域４３１の一部となっている。すなわち一対の内袋フィルム３は、ｘ方向一端が第１側方シール部４３に繋がっている。これにより、内袋固定領域４３１には、内袋フィルム３の袋部３１が固定されている。また、一対の内袋フィルム３のｘ方向における第２側辺１４側（他端側）部分が、一対の外装フィルム１に挟まれた状態でヒートシールされることにより、第２側辺シール部４４の一部となっている。すなわち、一対の内袋フィルム３のｘ方向他端は、第２側方シール部４４に繋がっている。
【００３９】
袋部３１は、ｘ方向において第１側辺１３側において第１側辺シール部４３の内袋固定領域４３１に隣接して配置されており、所定量の内容物を一時的に収容するためのものである。一対の内袋フィルム３は、開口部３１１および折り返し部３１２を有している。開口部３１１は、ｚ方向において天側に開口している。折り返し部３１２は、一対の内袋フィルム３のｚ方向底側端縁同士が、第１側辺シール部４３から後述する内第２側方シール部４６３にわたって連結された部位であり、本発明で言う内底側連結部の一例である。折り返し部３１２は、袋部３１の底を構成する部位であり、一対の内袋フィルム３を構成するフィルム材料が折られた部位である。なお、図４に示すように、開口部３１１は、一対の内袋フィルム３のｚ方向天側端全長を指すものではない。開口部３１１は、袋部３１の開口部分として内容物を通過させる部分を指す。すなわち、開口部３１１は、延長部３２には及んでいない。
【００４０】
また、一対の内袋フィルム３には、内第１側方シール部４６２および内第２側方シール部４６３が形成されている。内第１側方シール部４６２は、一対の内袋フィルム３の一部同士が、ｘ方向における第１側辺１３側においてヒートシールによって接合された部位であり、袋部３１のｘ方向第１側辺１３側境界を規定している。内天側シール部４６１のｚ方向天側端は、内袋フィルム３のｚ方向天側端に到達している。内天側シール部４６１のｚ方向底側端は、折り返し部３１２に到達している。また、本実施形態においては、内天側シール部４６１は、内袋固定領域４３１のｘ方向における第２側辺１４側端縁に沿うように位置している。すなわち、内袋固定領域４３１は、ｚ方向において天側へと向かうほどｘ方向において第１側辺１３に近接するように傾斜している。
【００４１】
内第２側方シール部４６３は、一対の内袋フィルム３の一部ずつがｘ方向他端側においてヒートシールによって接合された部位であり、第１側辺シール部４３および第２側辺シール部４４から離間し、且つｘ方向と交差する方向に延びている。内第２側方シール部４６３は、袋部３１のｘ方向第２側辺１４側境界を規定している。本実施形態においては、内第２側方シール部４６３のｚ方向天側端は、内袋フィルム３のｚ方向天側端からｚ方向底側に離間している。内第２側方シール部４６３のｚ方向底側端は、折り返し部３１２に到達している。また、本実施形態においては、内第２側方シール部４６３は、ｚ方向において底側へと向かうほどｘ方向において第１側辺１３に近接するように傾斜している。
【００４２】
一対の延長部３２は、袋部３１および第２側辺シール部４４に繋がっており、ｙ方向において互いに対面している。一対の延長部３２には、挿通部３２１が形成されている。挿通部３２１は、ｚ方向全域にわたって互いに接合されていない部位である。本実施形態においては、一対の内袋フィルム３を構成するフィルム材料がｘ方向全長にわたって折られた後に、この折り目を含む一部を切り欠くことによって挿通部３２１が形成されている。なお、本実施形態においては、前記切り欠きは、後述する延長シール部４６４とｘ方向において一部が重なっている。
【００４３】
パウチ容器用包材Ａ１は、一対の内天側シール部４６１および一対の延長シール部４６４を備えている。一対の内天側シール部４６１は、一対の内袋フィルム３のうちｚ方向天側端縁に沿う部分と、一対の外装フィルム１のうちｚ方向においてスパウト７と底辺１２との間に位置する部分とが、ｘ方向における第１側辺シール部４３と内第２側方シール部４６３との間においてそれぞれ接合された部位である。言い換えると、一対の内天側シール部４６１は、一対の内袋フィルム３のうち開口部３１１に沿う部分と、一対の外装フィルム１のうちｚ方向においてスパウト７と底辺１２との間に位置する部分とが、それぞれ接合された部位である。一対の内天側シール部４６１が設けられることにより、袋部３１の開口部３１１付近の部位が一対の外装フィルム１に固定された格好となっている。本実施形態においては、内天側シール部４６１のｘ方向第１側辺１３側端（一端）は、第１側辺シール部４３の内袋固定領域４３１に到達している。さらに、内天側シール部４６１のｘ方向第１側辺１３側端は、第１側辺シール部４３の内袋固定領域４３１と斜辺シール部４５との交差部分に繋がっている。また、内天側シール部４６１のｘ方向第２側辺１４側端（他端）は、内第２側方シール部４６３のｘ方向天側端よりもｘ方向第１側辺１３側端（一端）側に位置している。すなわち、本実施形態においては、内第２側方シール部４６３のｘ方向天側端は、ｘ方向において一対の内天側シール部４６１の第２側辺１４側端よりも第２側辺１４側に位置している。
【００４４】
なお、一対の内袋フィルム３の袋部３１は、一対の内天側シール部４６１において一対の外装フィルム１に固定されているものの、ｚ方向における底側部分およびｘ方向における第２側辺１４側部分は、いずれも一対の外装フィルム１に対して固定されていない。
【００４５】
一対の延長シール部４６４は、一対の内袋フィルム３と一対の外装フィルム１との一部とが内第２側方シール部４６３と第２側辺シール部４４との間において接合された部位である。言い換えると、一対の延長シール部４６４は、一対の延長部３２と一対の外装フィルム１との一部ずつが接合された部位である。本実施形態においては、一対の延長シール部４６４は、一対の内袋フィルム３のｚ方向天側端に沿って形成されている。延長シール部４６４のｘ方向第２側辺１４側端は、第２側辺シール部４４に到達している。延長シール部４６４のｘ方向第１側辺１３側端は、延長部３２のｘ方向中央付近に位置している。
【００４６】
スパウト７は、パウチ容器用包材Ａ１を用いて製造されたパウチ容器から内容物を注出するためのものである。スパウト７は、斜辺シール部４５において一対の外装フィルム１に挟まれた状態で、一対の外装フィルム１に対して気密性を保持するように接合されている。スパウト７は、たとえば本体部と蓋部とからなる。内容物の注出においては、前記蓋部が前記本体部から取り外される。内容物を保管する際には、前記蓋部は前記本体部に取り付けられる。
【００４７】
次に、パウチ容器用包材Ａ１の製造方法の一例について、図５を参照しつつ以下に説明する。
【００４８】
図示された製造方法においては、一対の外装フィルム材料１Ａ、底ガセットフィルム材料２Ａおよび内袋フィルム材料３Ａを用いる。一対の外装フィルム材料１Ａは、各々がｘ方向を長手方向とする長尺帯状のフィルム材料であり、各々が複数の外装フィルム１を形成するための材料である。底ガセットフィルム材料２Ａは、ｘ方向を長手方向とする長尺帯状のフィルム材料であり、複数の底ガセットフィルム２を形成するための材料である。内袋フィルム材料３Ａは、ｘ方向を長手方向とする長尺帯状のフィルム材料であり、複数対の内袋フィルム３を形成するための材料である。
【００４９】
ｘ方向右方から左方に向けて送り出される底ガセットフィルム材料２Ａに対して、ｘ方向に沿って延びる中心線に沿った山折り加工を施す。また、この折曲げの後に、ｘ方向における所定ピッチをおいて切欠き２２を形成する。
【００５０】
また、ｘ方向右方から左方に向けて送り出される内袋フィルム材料３Ａに対して、ｘ方向に沿って延びる中心線に沿って谷折り加工を施す。また、この折曲げの後に、切断加工によって切り欠きを形成することにより、挿通部３２１を設ける。また、折り畳んだ内袋フィルム材料３Ａの一部同士をヒートシールすることにより、内第１側方シール部４６２および内第２側方シール部４６３を形成する。これにより、開口部３１１を有し、内第１側方シール部４６２、内第２側方シール部４６３および折り返し部３１２によって規定された袋部３１が形成される。なお、パウチ容器用包材Ａ１が完成した後は、内第１側方シール部４６２が無いとしても第１側方シール部４３の存在により袋部３１が袋状の形態を維持しうる。しかし、図５に示す製造工程において、内袋フィルム材料３Ａに内第１側方シール部４６２を形成しておけば、折り畳まれた内袋フィルム材料３Ａを搬送する際に、内袋フィルム材料３Ａが不当にねじれたり歪んだりすることを抑制する効果が期待できる。また、一対の外装フィルム材料１Ａの間に内袋フィルム材料３Ａを送り込む際には、例えば第１側方シール部４３を形成するためのシール金型に対して、内袋フィルム材料３Ａを位置決めするための基準として、内第１側方シール部４６２を用いることができるという利点がある。
【００５１】
次いで、底ガセットフィルム材料２Ａおよび内袋フィルム材料３Ａを挟むようにして、底ガセットフィルム材料２Ａおよび内袋フィルム材料３Ａとともに、一対の外装フィルム材料１Ａをｘ方向右方から左方に向けて搬送する。そして、底ガセットフィルム材料２Ａおよび内袋フィルム材料３Ａを挟んだ状態で、一対の外装フィルム材料１Ａの所定箇所同士をヒートシールすることにより、底辺シール部４２、第１側辺シール部４３および第２側辺シール部４４と、内天側シール部４６１および延長シール部４６４とを形成する。なお、本実施形態においては、内袋フィルム材料３Ａは、両面に上述したシーラント層が設けられている。このため、内天側シール部４６１および延長シール部４６４の形成においては、内袋フィルム材料３Ａのうち互いに重なり合う部分同士が接合されてしまわないように、折り畳まれた内袋フィルム材料３Ａの間にヒートシールを阻止するプレート等（図示略）を挿入しておく。
【００５２】
この後に、たとえば一対の外装フィルム材料１Ａを、パウチ容器用包材Ａ１に相当する部分に分割するように切断する。この切断により、一対の外装フィルム１、底ガセットフィルム２および一対の内袋フィルム３が得られる。そして、この切断の際に、あるいはスパウト７をヒートシールする直前で、斜辺１５を形成し、次いで、一対の外装フィルム１のうち斜辺１５に沿う部分の間にスパウト７を配置した状態で、ヒートシールを行う。これにより、斜辺シール部４５が形成され、図１〜図３に示したパウチ容器用包材Ａ１が得られる。
【００５３】
次に、パウチ容器用包材Ａ１を用いたパウチ容器の製造方法について、図６および図７を参照しつつ、以下に説明する。
【００５４】
図６および図７に示すように、一対の外装フィルム１の天辺１１同士の間からノズル８１を収容空間５に進入させる。この際、天辺１１を把持するなどによって一対の外装フィルム１を拡開すると、図４から理解されるように、一対の延長シール部４６４を介して一対の内袋フィルム３の一対の延長部３２が拡開される。これにより、一対の延長部３２の間にノズル８１を当該延長部３２に形成された挿通部３２１に挿通させることができる。ノズル８１からは、内容物８を収容空間５に供給する。なお、ノズル８１による内容物８の充填は、ノズル８１のｚ方向底側端が、少なくとも開口部３１１よりも底側に位置する状態、より好ましくは延長部３２よりも底側に位置する状態において行う。内容物８の充填が終了した後は、一対の外装フィルム１を天辺１１に沿ってヒートシールすることにより、収容空間５を密閉する。これにより、図８〜図９に示すＢ１が得られる。
【００５５】
図８は、パウチ容器Ｂ１を示す正面図である。図９は、図８のＩＸ−ＩＸ線に沿う断面図であり、図１０は、図８のＸ−Ｘ線に沿う断面図である。パウチ容器Ｂ１の構成要素のうちパウチ容器用包材Ａ１が備えていた構成要素は、パウチ容器用包材Ａ１における説明をもって省略する。
【００５６】
パウチ容器Ｂ１では、収容空間５のうち一対の延長部３２よりもｚ方向底側の部分に内容物８が充填されている。内容物８は、液体あるいは粉粒体等であり、特に限定されない。内容物８は、袋部３１によって所定量の計量しうるものであれば様々なものが採用可能であり、例として日用品、薬品、飲食料品等が挙げられる。
【００５７】
パウチ容器Ｂ１は、天辺シール部４１を備えている。天辺シール部４１は、一対の外装フィルム１の一部ずつが天辺１１に沿ってヒートシールにより接合された部位である。天辺シール部４１は、斜辺シール部４５および第２側辺シール部４４に到達している。天辺シール部４１が形成されることにより、内容物８は、収容空間５内において密閉状態で収容される。
【００５８】
図９および図１０に示すように、内容物８が充填されると、内容物８の重みによって底ガセットフィルム２の折り目２１が開かれ、底ガセットフィルム２が平坦に近い状態となり、一対の外装フィルム１の底辺１２の中央部がｙ方向に離間する。これにより、パウチ容器Ｂ１は、一対の外装フィルム１の底辺１２を重力方向下方に位置させた姿勢で自立可能である、いわゆるスタンディングタイプのパウチ容器の形態となっている。
【００５９】
次に、パウチ容器Ｂ１からの内容物８の注出を図８、図１１および図１２を参照しつつ、以下に説明する。まず、図８に示す状態からパウチ容器Ｂ１をｚ方向において天地逆の倒立姿勢とする。これにより、内容物８が一対の延長部３２の挿通部３２１を通過して天辺１１側に移動する。そして、再び天地を入れ替えて正立させると、図１１に示すように内容物８の一部が袋部３１に収容され、残りの内容物８が底辺１２側の収容空間５に収容される。この状態は、所定量の内容物８が袋部３１によって計量された状態である。
【００６０】
続いて、スパウト７の前記蓋部を取り除いた後に、パウチ容器Ｂ１を図１１における反時計回りに傾けると、図１２に示すように袋部３１に収容された所定量の内容物８がスパウト７から外部へと注出される。なお、パウチ容器Ｂ１を傾ける際には、図１２においてハッチングが施された挟持領域Ｆを指などによって挟持することが好ましい。挟持領域Ｆを挟持することにより、パウチ容器Ｂ１の収容空間５は、袋部３１および挟持領域Ｆによって天側と地側とに区画される。このため、パウチ容器Ｂ１を傾けても、底側に収容されていた内容物８が袋部３１の開口部３１１やスパウト７付近に流入することを阻止することができる。なお、使用者にこのような使用方法等を誤解無く伝えるべく、使用方法等の注意書表示や、挟持領域Ｆを示す表示を設けることが好ましい。
【００６１】
次に、パウチ容器用包材Ａ１およびパウチ容器Ｂ１の作用について説明する。
【００６２】
本実施形態によれば、内底側連結部としての折り返し部３１２および内第２側方シール部４６３が設けられていることにより、一対の内袋フィルム３の袋部３１が備えられているものの、一対の外装フィルム１のうち袋部３１を挟む部分は、第１側辺シール部４３を除いて互いに接合されていない。このため、内容物８の計量を目的として袋部３１に内容物８の一部を収容する際には、一対の外装フィルム１のうち袋部３１を挟む部分を、互いに拘束することなくすスムーズに拡開することが可能である。そして、一対の外装フィルム１の拡開によって、一対の内天側シール部４６１を介して袋部３１が拡開される。これにより、袋部３１の開口部３１１を適切に開口させた状態で、内容物８をスムーズに収容させることができる。しかも、袋部３１を十分に拡開することにより、所定量の内容物８をより正確に袋部３１に収容することが可能である。したがって、所定量の内容物８をよりスムーズ且つ正確に注出することができる。さらに、袋部３１のｚ方向底側部分およびｘ方向における第２側辺１４側部分が一対の外装フィルム１に接合されていないことにより、一対の外装フィルム１の拡開が袋部３１によって拘束されることを抑制することができる。これにより、一対の外装フィルム１をより大きく膨らませることが可能であり、収容空間５に十分な量の内容物８を収容することができる。
【００６３】
本実施形態においては、一対の内袋フィルム３は、一対の延長部３２を有している。図５に示した製造方法から理解されるように、一対の内袋フィルム３が袋部３１と延長部３２とを有する構成とすることにより、パウチ容器用包材Ａ１の製造において、ｘ方向に長く延びる内袋フィルム材料３Ａを用いてパウチ容器用包材Ａ１を連続的に製造することができる。また、一対の延長シール部４６４を設けることにより、一対の外装フィルム１を拡開することで、一対の延長部３２をｙ方向に離間させることができる。これは、図６および図７に示したパウチ容器Ｂ１の製造における内容物８の充填において、ノズル８１をスムーズに挿入するのに都合が良い。また、一対の延長シール部４６４は、一対の延長部３２のうちｘ方向他端側部分のみに形成されている。このため、一対の延長部３２のうち一対の延長シール部４６４を除く部分は、一対の外装フィルム１に接合されていない。図８に示した状態から図１１に示す状態に移行させる際には、パウチ容器Ｂ１は、倒立させられる。このとき、内容物８の一部がｙ方向において同じ側に位置する延長部３２と外装フィルム１との間に入り込む可能性がある。しかし、上述した通り、互いに対向する延長部３２と外装フィルム１とが接合されていない部位が存在することにより、延長部３２と外装フィルム１との間に入り込んだ内容物８を天辺１１側へと通過させることが可能である。したがって、延長部３２と外装フィルム１との間に内容物８が意図せず溜まってしまうことを回避することができる。
【００６４】
第１側辺シール部４３の底側領域４３２のｘ方向における第２側辺１４側端縁が、上述した傾斜とされている。これにより、図８に示した状態から図１１に示す状態に移行させるべく、パウチ容器Ｂ１を倒立させた際に、袋部３１と底側領域４３２と一対の外装フィルム１とに囲まれた空間に溜まりうる内容物８の量を減少させることができる。また、内袋固定領域４３１のｘ方向における第２側辺１４側端縁が、上述した傾斜とされている。これにより、図１２に示す内容物８の注出において、袋部３１に収容された内容物８をスパウト７に向けてスムーズに移動させることができる。さらに、内天側シール部４６１が、内袋固定領域４３１と斜辺シール部４５との交差部分に到達していることにより、図１２に示す注出において、開口部３１１から出された内容物８は、斜辺シール部４５の内端縁に沿ってスパウト７へとスムーズに導かれる。これは、内容物８をスムーズに抽出するのに好ましい。
【００６５】
内第２側方シール部４６３のｚ方向天側端は、内袋フィルム３のｚ方向天側端縁から底側に離間している。このため、内袋フィルム３のｚ方向天側端縁が内第２側方シール部４６３によって拘束される度合いを緩和することができる。これにより、一対の外装フィルム１を拡開させることにより袋部３１を拡開させる際に、図４に示すように開口部３１１をより大きく開口させることができる。また、一対の内天側シール部４６１のｘ方向における第２側辺１４側端と、内第２側方シール部４６３のｚ方向天側端とは、ｘ方向において互いに離間している。これにより、袋部３１を拡開させる際に、一対の内天側シール部４６１が内第２側方シール部４６３によって過度に拘束されることを回避することができる。
【００６６】
図１３〜図１９は、本発明の変形例および他の実施形態を示している。なお、これらの図において、上記実施形態と同一または類似の要素には、上記実施形態と同一の符号を付している。
【００６７】
図１３は、パウチ容器用包材Ａ１およびパウチ容器Ｂ１の内袋フィルム３についての変形例を示している。本変形例においては、内袋フィルム３の袋部３１に目盛線３８が設けられている。目盛線３８は、たとえばｘ方向に沿って延びる複数の直線がｚ方向に間隔を置いて袋部３１に印刷されたものである。また、本例の内袋フィルム３が採用されたパウチ容器用包材Ａ１においては、一対の外装フィルム１のうち、少なくとも目盛線３８に重なる部分は、透明としておく。
【００６８】
図１４は、パウチ容器用包材Ａ１の他の変形例を示している。本変形例においては、y方向前方に位置する外装フィルム１のうち袋部３１と重なる部分に、目盛線１８が設けられている。目盛線１８は、目盛線３８と同様に、たとえばｘ方向に沿って延びる複数の直線がｚ方向に間隔を置いて一方の外装フィルム１に印刷されたものである。図１３および図１４に示す変形例によれば、袋部３１によって複数種類の量の内容物８を計量することができる。
【００６９】
図１５は、パウチ容器用包材Ａ１およびパウチ容器Ｂ１の他の変形例を示している。本変形例においては、一対の延長シール部４６４は、上述した例と比べてｘ方向寸法が小とされており、第２側辺シール部４４からｘ方向において離間している。また、一対の延長シール部４６４は、延長部３２のｘ方向中央付近に設けられている。このような変形例によれば、延長部３２と外装フィルム１との間に入り込んだ内容物８が、延長シール部４６４の付近に溜まってしまうことを抑制することができる。また、延長部３２の中央付近に延長シール部４６４を設けることにより、一対の外装フィルム１を拡開した際に、一対の延長部３２をより大きく拡開することができる。これは、図６および図７に示すノズル８１の挿入をより容易に行うのに適している。
【００７０】
図１６は、パウチ容器用包材Ａ１およびパウチ容器Ｂ１の他の変形例を示している。本変形例においては、第２側辺シール部４４に凹部４４１が設けられている。凹部４４１は、第２側辺シール部４４の一部がｘ方向第１側辺１３側に凹んだ部分である。凹部４４１は、そのｚ方向位置が袋部３１のｚ方向位置と重なっている。本変形例によれば、図１２に示す注出において、外観に明瞭に現れる凹部４４１を目印として挟持領域Ｆを確実に挟持することができる。
【００７１】
図１７は、本発明の第２実施形態に基づくパウチ容器用包材およびパウチ容器を示している。本実施形態のパウチ容器用包材Ａ２およびパウチ容器Ｂ２においては、一対の内袋フィルム３は、ｙ方向において互いに対面する２枚のフィルムによって構成されている。このため、袋部３１に内底側シール部４６５が設けられている。内底側シール部４６５は、一対の内袋フィルム３がｚ方向底側端縁に沿って、第１側辺シール部４３から内第２側方シール部４６３にわたってヒートシールにより接合された部位であり、本発明で言う内底側連結部の一例である。内底側シール部４６５は、袋部３１のｚ方向底側境界を規定しており、内第１側方シール部４６２および内第２側方シール部４６３に到達している。また、本実施形態においては、挿通部３２１を形成するための上述した切り欠き等は、一対の内袋フィルム３に設けられる必要はない。このような実施形態によっても、内容物８をよりスムーズ且つ正確に抽出することができる。
【００７２】
図１８は、パウチ容器用包材Ａ２およびパウチ容器Ｂ２の変形例を示している。本実施形態においては、内第２側方シール部４６３および内底側シール部４６５がいずれも円弧形状に湾曲しており、互いに連続的に繋がっている。これにより、袋部３１は、ｚ方向における底側部分およびｘ方向における第２側辺１４側部分が、四半円形状をなしている。本変形例から理解されるように、袋部３１は、所定量の内容物８を適切に収容可能な形状であればよく、その具体的形状は特に限定されない。本例においても、袋部３１のｚ方向底側部分およびｘ方向における第２側辺１４側部分が一対の外装フィルム１に接合されていないことにより、一対の外装フィルム１を十分に拡開することができる。
【００７３】
図１９は、本発明の第３実施形態に基づくパウチ容器用包材およびパウチ容器を示している。本実施形態のパウチ容器用包材Ａ３およびパウチ容器Ｂ３においては、一対の内袋フィルム３は、袋部３１のみを有しており、上述した一対の延長部３２を有していない。また、一対の延長部３２を有さないことに関連して、パウチ容器用包材Ａ２およびパウチ容器Ｂ２は、上述した延長シール部４６４を有していない。袋部３１の構成は上述した構成と共通している。一対の内袋フィルム３は、一対の内天側シール部４６１によって一対の外装フィルム１に固定されている。このような実施形態によっても、内容物８をよりスムーズ且つ正確に抽出することができる。
【００７４】
本発明に係るパウチ容器用包材およびパウチ容器は、上述した実施形態に限定されるものではない。本発明に係るパウチ容器用包材およびパウチ容器の各部の具体的な構成は、種々に設計変更自在である。
【符号の説明】
【００７５】
Ａ１〜Ａ３      パウチ容器用包材
Ｂ１〜Ｂ３      パウチ容器
１      外装フィルム
１Ａ      外装フィルム材料
１１      天辺
１２      底辺
１３      第１側辺
１４      第２側辺
１５      斜辺
１８      目盛線
２      底ガセットフィルム
２Ａ      底ガセットフィルム材料
２１      折り目
２２      切欠き
３      内袋フィルム
３Ａ      内袋フィルム材料
３１      袋部
３１１      開口部
３１２      折り返し部（内底側連結部）
３２      延長部
３２１      挿通部
３８      目盛線
４１      天辺シール部
４２      底辺シール部
４３      第１側辺シール部
４３１      内袋固定領域
４３２      底側領域
４４      第２側辺シール部
４４１      凹部
４５      斜辺シール部
４６１      内天側シール部
４６２      内第１側方シール部
４６３      内第２側方シール部
４６４      延長シール部
４６５      内底側シール部（内底側連結部）
５      収容空間
７      スパウト
８      内容物
８１      ノズル
【図１】
0006456751.tif 000002
【図２】
0006456751.tif 000003
【図３】
0006456751.tif 000004
【図４】
0006456751.tif 000005
【図５】
0006456751.tif 000006
【図６】
0006456751.tif 000007
【図７】
0006456751.tif 000008
【図８】
0006456751.tif 000009
【図９】
0006456751.tif 000010
【図１０】
0006456751.tif 000011
【図１１】
0006456751.tif 000012
【図１２】
0006456751.tif 000013
【図１３】
0006456751.tif 000014
【図１４】
0006456751.tif 000015
【図１５】
0006456751.tif 000016
【図１６】
0006456751.tif 000017
【図１７】
0006456751.tif 000018
【図１８】
0006456751.tif 000019
【図１９】
0006456751.tif 000020
【図２０】
0006456751.tif 000021